(57)【要約】【課題】電子機器にリセットスイッチを設けることなく、電子機器の意図しないリセットを回避でき、かつ、必要なタイミングで電子機器をリセットする。【解決手段】電子機器１０と、電子機器１０の動作をリセットするリセット装置２０とを有し、リセット装置２０は、電子機器１０に電力を供給するＴＸモジュール２１と、電子機器１０にＬＥＤ光をリセット信号として非接触で送信するＬＥＤ２２とを有し、電子機器１０は、ＴＸモジュール２１から供給された電力を受電するＲＸモジュール１１と、ＲＸモジュール１１にて受電された電力によって動作し、該動作状態においてＬＥＤ２２から送信されたＬＥＤ光を受光した場合、電子機器１０の動作をリセットさせる照度センサー１７とを有する。【選択図】図１
2019153044.tif 000002
【特許請求の範囲】
【請求項１】
電子機器と、該電子機器の動作をリセットするリセット装置とを有する電子機器リセットシステムであって、
前記リセット装置は、
前記電子機器に電力を供給する給電手段と、
前記電子機器にリセット信号を非接触で送信する送信手段とを有し、
前記電子機器は、
前記給電手段から供給された電力を受電する受電手段と、
前記受電手段にて受電された電力によって動作し、該動作状態において前記送信手段から送信されたリセット信号を受信した場合、当該電子機器の動作をリセットさせる受信手段とを有する、電子機器リセットシステム。
【請求項２】
請求項１に記載の電子機器リセットシステムにおいて、
前記電子機器は、当該電子機器が前記リセット以外の動作を行うための電源部に充電を行う充電手段を有し、
前記充電手段は、前記受電手段にて受電した電力を前記電源部に充電する、電子機器リセットシステム。
【請求項３】
請求項１または請求項２に記載の電子機器リセットシステムにおいて、
前記給電手段は、前記電子機器に電力を非接触で供給し、
前記受電手段は、前記給電手段から供給された電力を非接触で受電する、電子機器リセットシステム。
【請求項４】
電子機器の動作をリセット装置によってリセットする電子機器リセット方法であって、
前記リセット装置が、前記電子機器に電力を供給するステップと、
前記電子機器が、前記リセット装置から供給された電力を受電するステップと、
前記リセット装置が、前記電子機器にリセット信号を非接触で送信するステップと、
前記電子機器が、前記リセット装置から供給された電力を受電している状態において前記リセット装置から送信されたリセット信号を受信した場合、当該電子機器の動作をリセットするステップとを有する、電子機器リセット方法。
【請求項５】
リセット装置から送信されたリセット信号によって動作がリセットされる電子機器であって、
前記リセット装置から供給された電力を受電する受電手段と、
前記受電手段にて受電された電力によって動作し、該動作状態において前記リセット装置から送信されたリセット信号を受信した場合、当該電子機器の動作をリセットさせる受信手段とを有する、電子機器。
【請求項６】
電子機器の動作をリセットするためのリセット装置であって、
前記電子機器に電力を供給する給電手段と、
前記電子機器の動作をリセットするためのリセット信号を発生させ、該リセット信号を前記電子機器に非接触で送信する送信手段と、
前記送信手段にて前記リセット信号を発生させるタイミングを決定するタイミング決定手段とを有する、リセット装置。
【発明の詳細な説明】
【技術分野】
【０００１】
本発明は、電子機器の動作をリセット装置によってリセットする電子機器リセットシステム、電子機器リセット方法、電子機器及びリセット装置に関する。
【背景技術】
【０００２】
昨今、電子化の進展に伴って様々な電子機器が普及している。電子機器は一般的に、内蔵されたマイコンが所定のプログラムを実行することで動作が行われる。その際、動作が不安定になったり、いわゆるフリーズしたりする場合が稀にあり、そのような状態から電子機器の動作を回復させるために、マイコンにリセット機能が設けられた電子機器が多い。このようなリセット機能は、例えば、電子機器に設けられたリセットスイッチを操作者が操作すると、マイコンのリセット端子にリセット信号が入力され、それにより、電子機器が強制的に初期状態に戻され、上記のような障害を取り除くことができる。また、電子機器の電源を一時的に遮断することで、電子機器をハード的にリセットするものもある。
【０００３】
図５は、リセット機能を有する一般的な電子機器の一例を示す図であり、（ａ）は外観斜視図、（ｂ）は構成ブロック図である。
【０００４】
リセット機能を有する一般的な電子機器は、例えば図５に示すように、リセットを行う際に操作するスイッチ２１１が外部から操作可能に設けられているとともに、電池２１３と、マイコン２１４と、実際に電子機器２１０の表示や音声出力、あるいは計算等の動作をする機能部２１５とが内蔵されている。
【０００５】
このように構成された電子機器２１０においては、電子機器２１０の操作者がスイッチ２１１を操作すると、スイッチ２１１からリセット信号が出力され、マイコン２１４のリセット端子に入力される。すると、マイコン２１４の制御によって電子機器が強制的に初期状態に戻され、リセット動作が行われることになる。
【０００６】
近年、電子機器の種類によっては小型化が進められており、また、ウェアラブルデバイスといった非常に小型化された電子機器も登場している。そのような小型化された電子機器においては、リセットスイッチを設けるスペースがないため、上述したようなリセット機能を付加することができない。また、防水機能を有する電子機器においては、防水機能を維持するためにリセットスイッチを設けることができない。
【０００７】
ここで、光センサーを搭載し、昼夜の明るさの変化を利用してリセット要求信号を情報処理モジュールに対して出力し、このリセット要求信号に対してリセット信号が情報処理モジュールから戻ってこなかった場合に、情報処理モジュールに対する電源を自動的に切断して処理をリセットする技術が、特許文献１に開示されている。
【０００８】
また、リセット装置のボタンが押下されると、リセット装置の送信器から無線や光学、磁気等による信号が送信され、この信号が体温計の受信ユニットにて非接触で受信された場合に、体温計の動作モードをリセットする技術が、特許文献２に開示されている。
【０００９】
このように、電子機器をリセットするためのリセット装置を設け、このリセット装置から電子機器に対してリセット信号を非接触で送信することで、電子機器にリセットスイッチを設けることなく電子機器をリセットすることができるようになる。
【先行技術文献】
【特許文献】
【００１０】
【特許文献１】特開２０１５−１７６１８８号公報
【特許文献２】特表２００７−５１４１３７号公報
【発明の概要】
【発明が解決しようとする課題】
【００１１】
しかしながら、特許文献１に開示されたものにおいては、光センサーが常に動作しているため、いつでもリセットがかかり得る状態となっており、電子機器を任意のタイミングでリセットすることができないという問題点がある。
【００１２】
また、特許文献２に開示されたものにおいても受信ユニットが常に動作しているため、リセット信号として磁気によるものを用いた場合、磁石を誤って受信ユニットに近づけてしまうとリセット信号を受信したものと認識してしまい、また、リセット信号として磁気以外によるものを用いた場合でも、リセット信号と同一の周波数等を有する光や信号をリセット装置以外のものから受信した場合にリセット信号を受信したものと認識してしまい、電子機器が不要なタイミングでリセットしてしまうという問題点がある。
【００１３】
本発明は、上述したような従来の技術が有する問題点に鑑みてなされたものであって、電子機器にリセットスイッチを設けることなく、電子機器の意図しないリセットを回避でき、かつ、必要なタイミングで電子機器をリセットすることができる電子機器リセットシステム、電子機器リセット方法、電子機器及びリセット装置を提供することを目的とする。
【課題を解決するための手段】
【００１４】
上記目的を達成するために本発明は、
電子機器と、該電子機器の動作をリセットするリセット装置とを有する電子機器リセットシステムであって、
前記リセット装置は、
前記電子機器に電力を供給する給電手段と、
前記電子機器にリセット信号を非接触で送信する送信手段とを有し、
前記電子機器は、
前記給電手段から供給された電力を受電する受電手段と、
前記受電手段にて受電された電力によって動作し、該動作状態において前記送信手段から送信されたリセット信号を受信した場合、当該電子機器の動作をリセットさせる受信手段とを有する。
【００１５】
上記のように構成された本発明においては、リセット装置の給電手段から供給された電力が電子機器の受電手段にて受電されると、この受電された電力によって電子機器の受信手段が動作する。その状態でリセット装置の送信手段からリセット信号が非接触で送信されると、電子機器の受信手段において、リセット装置の送信手段から送信されたリセット信号が受信され、電子機器の動作をリセットさせるための動作が行われる。
【００１６】
このように、電子機器の動作をリセットさせる受信手段が、リセット装置から供給された電力を受電することで初めて動作し、その動作状態にてリセット装置から非接触で送信されたリセット信号を受信した場合に電子機器の動作をリセットさせるので、電子機器にリセットスイッチを設けることなく、電子機器の意図しないリセットを回避でき、かつ、必要なタイミングで電子機器をリセットすることができる。
【００１７】
また、電子機器が、リセット以外の動作を行うための電源部に充電を行う充電手段を有するものにおいて、充電手段が、受電手段にて受電した電力を電源部に充電すれば、リセット信号を受信する受信手段を動作させるための電力を用いて電源部を充電することができる。
【００１８】
また、給電手段が、電子機器に電力を非接触で供給し、受電手段が、給電手段から供給された電力を非接触で受電すれば、電子機器とリセット装置とをケーブル等で接続する必要がない。
【発明の効果】
【００１９】
本発明によれば、電子機器の動作をリセットさせる受信手段が、リセット装置から供給された電力を受電することで初めて動作し、その動作状態にてリセット装置から非接触で送信されたリセット信号を受信した場合に電子機器の動作をリセットさせるため、電子機器にリセットスイッチを設けることなく、電子機器の意図しないリセットを回避でき、かつ、必要なタイミングで電子機器をリセットすることができる。
【００２０】
また、電子機器が、リセット以外の動作を行うための電源部に充電を行う充電手段を有し、充電手段が、受電手段にて受電した電力を電源部に充電するものにおいては、リセット信号を受信する受信手段を動作させるための電力を用いて電源部を充電することができる。
【００２１】
また、給電手段が、電子機器に電力を非接触で供給し、受電手段が、給電手段から供給された電力を非接触で受電するものにおいては、電子機器とリセット装置とをケーブル等で接続する必要がない。
【図面の簡単な説明】
【００２２】
【図１】本発明の電子機器リセットシステムの第１の実施の形態を示す図であり、（ａ）は全体の構成を示す外観図、（ｂ）は構成ブロック図である。
【図２】図１に示した電子機器リセットシステムにおいてリセット装置によって電子機器の動作をリセットする方法を説明するためのフローチャートである。
【図３】本発明の電子機器リセットシステムの第２の実施の形態を示す図であり、（ａ）は全体の構成を示す外観図、（ｂ）は構成ブロック図である。
【図４】図３に示した電子機器リセットシステムにおいてリセット装置によって電子機器の動作をリセットする方法を説明するためのフローチャートである。
【図５】リセット機能を有する一般的な電子機器の一例を示す図であり、（ａ）は外観斜視図、（ｂ）は構成ブロック図である。
【発明を実施するための形態】
【００２３】
以下に、本発明の実施の形態について図面を参照して説明する。
【００２４】
（第１の実施の形態）
図１は、本発明の電子機器リセットシステムの第１の実施の形態を示す図であり、（ａ）は全体の構成を示す外観図、（ｂ）は構成ブロック図である。
【００２５】
本形態における電子機器リセットシステムは図１に示すように、電子機器１０と、電子機器１０をリセットするリセット装置２０とを有する。
【００２６】
リセット装置２０は、スイッチ２３と、ＬＥＤ２２と、ＴＸモジュール２１とを有している。スイッチ２３は、本願発明にてタイミング決定手段となるものであって、リセット装置２０の外部から操作可能に設けられた物理的スイッチであり、電子機器１０の動作をリセットする際に操作される。ＬＥＤ２２は、本願発明にて送信手段となるものであって、スイッチ２３が操作された場合に点灯することでリセット信号としてＬＥＤ光を送信する。ＴＸモジュール２１は、本願発明にて給電手段となるものであって、電子機器１０に電力を非接触で供給する。
【００２７】
電子機器１０は、ＲＸモジュール１１と、駆動部１２と、充電ＩＣ１６と、照度センサー１７とを有している。ＲＸモジュール１１は、本願発明にて受電手段となるものであって、リセット装置２０のＴＸモジュール２１から供給された電力を非接触で受電する。駆動部１２は、電子機器１０の用途に応じた動作をするものであって、機能部１５と、マイコン１４と、電池１３とを有している。機能部１５は、ディスプレイやスピーカー、入力ボタン等の外部インタフェースの他、電子機器１０の動作の際に必要となる演算等を行う。マイコン１４は、予め決められたプログラムによって機能部１５を動作させるものである。電池１３は、電子機器１０がリセット以外の動作を行うための電源部となるものであって、マイコン１４や機能部１５に電力を供給する。充電ＩＣ１６は、本願発明にて充電手段となるものであって、ＲＸモジュール１１にて受電した電力を電池１３に充電する。照度センサー１７は、本願発明にて受信手段となるものであって、電池１３とは切り離されている。照度センサー１７は、ＲＸモジュール１１にて受電された電力によって動作し、その動作状態において、リセット装置２０のＬＥＤ２２の点灯によるＬＥＤ光を受光することでリセット信号を受信した場合、電子機器１０の動作をリセットするためのリセット用信号をマイコン１４に出力する。
【００２８】
以下に、上記のように構成された電子機器リセットシステムにおいてリセット装置２０によって電子機器１０の動作をリセットする方法について説明する。
【００２９】
図２は、図１に示した電子機器リセットシステムにおいてリセット装置２０によって電子機器１０の動作をリセットする方法を説明するためのフローチャートである。
【００３０】
図１に示した電子機器リセットシステムにおいてリセット装置２０によって電子機器１０の動作をリセットする場合は、まず、リセット装置２０のＴＸモジュール２１から供給された電力が電子機器１０のＲＸモジュール１１にて受電できる範囲内で、かつ、リセット装置２０のＬＥＤ２２が点灯した場合にそのＬＥＤ光を電子機器１０の照度センサー１７が受光できる領域にリセット装置２０を設置する。その状態でリセット装置２０を電源に接続すると、リセット装置２０のＴＸモジュール２１から電力が供給される（ステップ１）。
【００３１】
すると、リセット装置２０が、ＴＸモジュール２１から供給された電力が電子機器１０のＲＸモジュール１１にて受電できる範囲内に設置されているため、リセット装置２０のＴＸモジュール２１から供給された電力が電子機器１０のＲＸモジュール１１にて受電される（ステップ２）。
【００３２】
リセット装置２０のＴＸモジュール２１から供給された電力が電子機器１０のＲＸモジュール１１にて受電されると、ＲＸモジュール１１にて受電された電力が照度センサー１７に供給され、照度センサー１７が起動する（ステップ３）。また、ＲＸモジュール１１にて受電された電力は充電ＩＣ１６にも供給され、充電ＩＣ１６によって電池１３が充電される（ステップ４）。このように、電子機器１０がリセット以外の動作を行うための電池１３に充電を行う充電ＩＣ１６を有する場合に、充電ＩＣ１６が、ＲＸモジュール１１にて受電した電力を電池１３に充電することにより、リセット装置２０からリセット信号を受信する照度センサー１７を動作させるための電力を用いて電池１３を充電することができる。
【００３３】
上記のようにしてリセット装置２０のＴＸモジュール２１から供給された電力によって照度センサー１７が動作している状態において、電子機器１０の動作をリセットするためにリセット装置２０のスイッチ２３が操作されると（ステップ５）、ＬＥＤ２２が点灯し、この点灯したＬＥＤ光がリセット信号として非接触で送信される（ステップ６）。
【００３４】
ＬＥＤ２２が点灯すると、ＬＥＤ２２の点灯によるＬＥＤ光を電子機器１０の照度センサー１７が受光できる領域にリセット装置２０が設置されていることから、ＬＥＤ２２の点灯によるＬＥＤ光が電子機器１０の照度センサー１７にて受光され、それにより、ＬＥＤ２２の点灯によるリセット信号が照度センサー１７にて受信されることになる（ステップ７）。なお、ＬＥＤ２２は、照度センサー１７に対応した波長を有するＬＥＤ光で点灯するため、照度センサー１７においては、そのＬＥＤ光を受光することで、ＬＥＤ２２からＬＥＤ光によって送信されたリセット信号を認識することができる。
【００３５】
すると、照度センサー１７において、電子機器１０の動作をリセットするためのリセット用信号が発生し、マイコン１４に出力される（ステップ８）。そして、照度センサー１７から出力されたリセット用信号がマイコン１４に入力されることで、マイコン１４の制御によって電子機器１０の動作がリセットされる（ステップ９）。例えば、マイコン１４が、マイコン１４に設けられたリセット用ポートにハイレベル電位が印加された場合に電子機器１０の動作をリセットするものである場合は、照度センサー１７において、ＬＥＤ２２の点灯によるＬＥＤ光が受光された場合、マイコン１７に対してハイレベル電位の信号がリセット用信号として出力され、このハイレベル電位のリセット用信号がマイコン１４のリセット用ポートに印加された場合、マイコン１４の制御によって電子機器１０の動作がリセットされることになる。
【００３６】
このように、リセット装置２０に設けられたスイッチ２３が操作された場合にＬＥＤ２２が点灯し、この点灯によるＬＥＤ光が照度センサー１７にて受光された場合に、照度センサー１７からマイコン１４に対してリセット用信号を出力することで電子機器１０の動作をリセットさせるため、電子機器１０にリセットスイッチを設けることなく電子機器１０をリセットすることができ、それにより、電子機器１０の小型化と防水機能の付与とを実現できる。また、そのような構成において、照度センサー１７が、リセット装置２０のＴＸモジュール２１から供給された電力がＲＸモジュール１１にて受電され、この受電された電力が供給されることで初めて動作し、その動作状態にてリセット装置２０からＬＥＤ２２の点灯によるＬＥＤ光を受光した場合に、マイコン１４に対してリセット用信号を出力することで電子機器１０の動作をリセットさせるので、ＬＥＤ２２の点灯によるＬＥＤ光と同一の波長を有する光をリセット装置２０以外のものから受信した場合でも電子機器１０の意図しないリセットを回避でき、かつ、必要なタイミングで電子機器１０をリセットすることができる。
【００３７】
また、本形態においては、リセット装置２０のＴＸモジュール２１から電子機器１０に電力が非接触で供給され、電子機器１０のＲＸモジュール１１にて、ＴＸモジュール２１から供給された電力が非接触で受電されるので、電子機器１０とリセット装置２０とをケーブル等で接続する必要がない。
【００３８】
（第２の実施の形態）
図３は、本発明の電子機器リセットシステムの第２の実施の形態を示す図であり、（ａ）は全体の構成を示す外観図、（ｂ）は構成ブロック図である。
【００３９】
本形態における電子機器リセットシステムは図３に示すように、電子機器１１０と、電子機器１１０をリセットするリセット装置１２０とを有する。
【００４０】
リセット装置１２０は、スイッチ１２３と、ホールＩＣ１２２と、接続端子１２１とを有している。スイッチ１２３は、本願発明にてタイミング決定手段となるものであって、リセット装置１２０の外部から操作可能に設けられた物理的スイッチであり、電子機器１１０の動作をリセットする際に操作される。ホールＩＣ１２２は、本願発明にて送信手段となるものであって、スイッチ１２３が操作された場合に磁気を発生させることでリセット信号として磁気信号を非接触で送信する。接続端子１２１は、本願発明にて給電手段となるものであって、ケーブルが接続可能に構成され、接続されたケーブルを介して電子機器１１０に電力を供給する。
【００４１】
電子機器１１０は、接続端子１１１と、駆動部１１２と、磁気センサー１１７とを有している。接続端子１１１は、本願発明にて受電手段となるものであって、ケーブルが接続可能に構成され、リセット装置１２０の接続端子１２１から供給された電力を、接続されたケーブルを介して受電する。駆動部１１２は、電子機器１１０の用途に応じた動作をするものであって、機能部１１５と、マイコン１１４と、電池１１３と、電源遮断回路１１６とを有している。機能部１１５は、ディスプレイやスピーカー、入力ボタン等の外部インタフェースの他、電子機器１１０の動作の際に必要となる演算等を行う。マイコン１１４は、予め決められたプログラムによって機能部１１５を動作させるものである。電池１１３は、マイコン１１４や機能部１１５に電力を供給する。電源遮断回路１１６は、電池１１３とマイコン１１４との間に接続され、電源遮断信号によって、電池１１３からマイコン１１４への電力の供給を遮断する。磁気センサー１１７は、本願発明にて受信手段となるものであって、電池１１３とは切り離されている。磁気センサー１１７は、接続端子１１１にて受電された電力によって動作し、その動作状態において、ホールＩＣ１２２にて発生した磁気を検出することでリセット信号となる磁気信号を受信した場合、電子機器１１０の動作をリセットするために、電池１１３からマイコン１１４への電力の供給を遮断するための電源遮断信号を電源遮断回路１１６に出力する。
【００４２】
以下に、上記のように構成された電子機器リセットシステムにおいてリセット装置１２０によって電子機器１１０の動作をリセットする方法について説明する。
【００４３】
図４は、図３に示した電子機器リセットシステムにおいてリセット装置１２０によって電子機器１１０の動作をリセットする方法を説明するためのフローチャートである。
【００４４】
図３に示した電子機器リセットシステムにおいてリセット装置１２０によって電子機器１１０の動作をリセットする場合は、まず、リセット装置１２０のホールＩＣ１２２にて磁気が発生した場合にその磁気を電子機器１１０の磁気センサー１１７が検出できる範囲内にリセット装置１２０を設置し、電子機器１１０の接続端子１１１とリセット装置１２０の接続端子１２１とをケーブルを介して接続する。その状態でリセット装置１２０を電源に接続すると、リセット装置１２０の接続端子１２１からケーブルを介して電子機器１１０に電力が供給される（ステップ１０１）。
【００４５】
リセット装置１２０の接続端子１２１からケーブルを介して電子機器１１０に供給された電力は、電子機器１１０の接続端子１１１にて受電される（ステップ１０２）。
【００４６】
リセット装置１２０の接続端子１２１から供給された電力がケーブルを介して電子機器１１０の接続端子１１１にて受電されると、接続端子１１１にて受電された電力が磁気センサー１１７に供給され、磁気センサー１１７が起動する（ステップ１０３）。
【００４７】
上記のようにしてリセット装置１２０から供給された電力によって磁気センサー１１７が動作している状態において、電子機器１１０の動作をリセットするためにリセット装置１２０のスイッチ１２３が操作されると（ステップ１０４）、ホールＩＣ１２２にて磁気が発生し、磁気信号がリセット信号として非接触で送信される（ステップ１０５）。
【００４８】
ホールＩＣ１２２にて磁気が発生すると、ホールＩＣ１２２にて発生した磁気を電子機器１１０の磁気センサー１１７が検出できる範囲内にリセット装置１２０が設置されていることから、ホールＩＣ１２２にて発生した磁気が電子機器１１０の磁気センサー１１７にて検出され、それにより、ホールＩＣ１２２にて発生した磁気によるリセット信号となる磁気信号が磁気センサー１１７にて受信されることになる（ステップ１０６）。
【００４９】
すると、磁気センサー１１７において、電子機器１１０の動作をリセットするためにマイコン１１４の電源を遮断するための電源遮断信号が発生し、電源遮断回路１１６に出力される（ステップ１０７）。そして、磁気センサー１１７から出力された電源遮断信号が電源遮断回路１１６に入力されることで、電池１１３からマイコン１１４への電力の供給が遮断され、それにより、マイコン１１４の動作が停止して電子機器１０の動作がリセットされる（ステップ１０８，１０９）。電源遮断回路１１６としては、例えばトランジスタ等のスイッチング回路が考えられ、その場合、磁気センサー１１７にて磁気が検出された場合にハイレベル信号が電源遮断回路１１６に出力され、電源遮断回路１１６のスイッチング回路がハイレベル信号によってＯＦＦ状態となることで、電池１１３からマイコン１１４への電力の供給が遮断されてマイコン１１４の動作が停止することになる。
【００５０】
このように、リセット装置１２０に設けられたスイッチ１２３が操作された場合にホールＩＣ１２２にて磁気が発生し、この磁気が磁気センサー１１７にて検出された場合に、磁気センサー１１７から電源遮断回路１１６に対して、電池１１３からマイコン１１４への電力の供給を遮断するための電源遮断信号を出力することで電子機器１１０の動作をリセットするため、電子機器１１０にリセットスイッチを設けることなく電子機器１１０をリセットすることができ、それにより、電子機器１１０の小型化と防水機能の付与を実現できる。また、そのような構成において、磁気センサー１１７が、リセット装置１２０の接続端子１２１に接続されたケーブルを介して電子機器１１０の接続端子１１１にて受電された電力が供給されることで初めて動作し、その動作状態にてリセット装置１２０のホールＩＣ１２２にて発生した磁気を磁気センサー１１７にて検出した場合に、電源遮断回路１１６に対して電源遮断信号を出力することで電子機器１１０の動作をリセットさせるので、誤って磁石を近づけたとしても電子機器１１０の意図しないリセットを回避でき、かつ、必要なタイミングで電子機器１１０をリセットすることができる。
【００５１】
なお、上述した実施の形態においては、リセット装置２０，１２０に設けられたスイッチ２３，１２３が操作された場合に、ＬＥＤ２２が点灯したりホールＩＣ１２２にて磁気が発生したりすることで、電子機器１０，１１０の動作をリセットするためのリセット信号を発生させているが、リセット装置２０，１２０に所定の信号が入力されたり予め決められた条件が満たされた場合にリセット信号を発生させたり、予め決められたタイミングにてリセット信号を発生させたりしてもよい。
【００５２】
また、上述した実施の形態においては、リセット装置２０，１２０から電子機器１０，１１０に電力を供給し、この電力によって電子機器１０，１１０の照度センサー１７や磁気センサー１１７を動作させておき、その状態においてスイッチ２３，１２３が操作された場合に、ＬＥＤ２２が点灯したりホールＩＣ１２２にて磁気が発生したりすることで、電子機器１０，１１０の動作をリセットするためのリセット信号を発生させているが、スイッチ２３，１２３が操作された場合に、リセット装置２０，１２０から電子機器１０，１１０に電力を供給して照度センサー１７や磁気センサー１１７を動作させるとともに、ＬＥＤ２２が点灯したりホールＩＣ１２２にて磁気が発生したりすることで、電子機器１０，１１０の動作をリセットするためのリセット信号を発生させる構成としてもよい。
【符号の説明】
【００５３】
１０，１１０    電子機器
１１    ＲＸモジュール
１２，１１２    駆動部
１３，１１３    電池
１４，１１４    マイコン
１５，１１５    機能部
１６    充電ＩＣ
１７    照度センサー
２０，１２０    リセット装置
２１    ＴＸモジュール
２２    ＬＥＤ
２３，１２３    スイッチ
１１１，１２１    接続端子
１１６    電源遮断回路
１１７    磁気センサー
１２２    ホールＩＣ
【図１】
2019153044.tif 000003
【図２】
2019153044.tif 000004
【図３】
2019153044.tif 000005
【図４】
2019153044.tif 000006
【図５】
2019153044.tif 000007